(57)【要約】【課題】  花粉の飛散量等に応じて、花粉除去装置の運転の強さを切り換えることにより、花粉を除去しながら、電気代の節約や、乗客の不快感をなくすことができるエレベータの運転装置を得る。【解決手段】  エレベータのかご及び乗場の少なくともいずれか一方に設置され、花粉などの微小物質を除去する空気清浄器（花粉除去装置）８、１０と、花粉などの関連情報により上記空気清浄器の運転の強さを切り換える制御手段７とを備える。また、かご出入口及び乗場出入口の少なくともいずれか一方に設置され、かご出入口又は乗場出入口にエアーカーテンを形成するエアーカーテン装置９、１１を備える。【選択図】    図２
2005075579.tif 000002
【特許請求の範囲】
【請求項１】
エレベータのかご及び乗場の少なくともいずれか一方に設置され、花粉などの微小物質を除去する花粉除去装置と、  
花粉などの関連情報により上記花粉除去装置の運転の強さを切り換える制御手段と、
を備えたことを特徴とするエレベータの運転装置。
【請求項２】
エレベータのかご出入口及び乗場出入口の少なくともいずれか一方に設置され、かご出入口又は乗場出入口にエアーカーテンを形成するエアーカーテン装置と、
花粉などの関連情報により上記エアーカーテン装置の運転の強さを切り換える制御手段と、
を備えたことを特徴とするエレベータの運転装置。
【請求項３】
エレベータのかご及び乗場の少なくともいずれか一方に設置され、花粉などの微小物質を除去する花粉除去装置と、  
エレベータのかご出入口及び乗場出入口の少なくともいずれか一方に設置され、かご出入口又は乗場出入口にエアーカーテンを形成するエアーカーテン装置と、
花粉などの関連情報により上記花粉除去装置及びエアーカーテン装置の運転の強さを切り換える制御手段と、
を備えたことを特徴とするエレベータの運転装置。
【請求項４】
制御装置は、花粉の飛散量、天候などのビル周辺情報からビルの管理者などが入力する花粉量信号により、運転の強さを切り換えることを特徴とする請求項１から請求項３のいずれかに記載のエレベータの運転装置。
【請求項５】
制御装置による運転の強さ切り換えは、花粉の飛散量が多い時には強く、花粉の飛散量が少ない時には弱く、花粉の飛散量が無い時には停止するようにしたことを特徴とする請求項４記載のエレベータの運転装置。
【請求項６】
かごが乗場呼びに停止し戸開き状態の時に、エアーカーテン装置を運転することを特徴とする請求項２又は請求項３記載のエレベータの運転装置。
【請求項７】
複数のかごを共通の乗場呼びに応答させるようにしたエレベータの群管理装置において、
複数のかごのうち特定のかごに設置され、花粉などの微小物質を除去する花粉除去装置と、
乗場に設けられた花粉対策乗場専用釦と、  
この花粉対策乗場専用釦の操作により上記花粉除去装置を設置した特定のかごの中から応答かごを選択する制御手段と、
を備えたことを特徴とするエレベータの運転装置。
【請求項８】
複数のかごを共通の乗場呼びに応答させるようにしたエレベータの群管理装置において、
複数のかごのうち特定のかごの出入口に設置され、かご出入口にエアーカーテンを形成するエアーカーテン装置と、
乗場に設けられた花粉対策乗場専用釦と、  
この花粉対策乗場専用釦の操作により上記エアーカーテン装置を設置した特定のかごの中から応答かごを選択する制御手段と、
を備えたことを特徴とするエレベータの運転装置。
【請求項９】
複数のかごを共通の乗場呼びに応答させるようにしたエレベータの群管理装置において、
複数のかごのうち特定のかごに設置され、花粉などの微小物質を除去する花粉除去装置と、
複数のかごのうち特定のかごの出入口に設置され、かご出入口にエアーカーテンを形成するエアーカーテン装置と、
乗場に設けられた花粉対策乗場専用釦と、  
この花粉対策乗場専用釦の操作により上記花粉除去装置及びエアーカーテン装置を設置した特定のかごの中から応答かごを選択する制御手段と、
を備えたことを特徴とするエレベータの運転装置。
【発明の詳細な説明】
【技術分野】
【０００１】
この発明は、花粉などのアレルギー症状を引き起こす微小物質を除去する花粉除去装置を備えたエレベータの運転装置に関するものである。
【背景技術】
【０００２】
従来、エレベータの乗かご内の空気を清浄状態に保つとともに乗かごの中央部に涼風を供給するものとして、前面側に清浄空気の吹出口を有する空気清浄器をエレベータの乗かご内の上方位置に設けたものがある（例えば、特許文献１参照）。
【０００３】
【特許文献１】特開平５−２７０７７２号公報
【発明の開示】
【発明が解決しようとする課題】
【０００４】
上記従来のエレベータの乗かごにあっては、乗かご内の空気が空気清浄器を通過して清浄化されるものであるが、清浄空気の供給量は固定されており、例えば、弱い設定になっていると、花粉の飛散量が多い時には、花粉の除去が不十分であり、反対に強い設定になっていると、花粉の飛散量が少ないのに、電気代が増加し、しかも空気清浄器からの騒音が大きくなり、また、強い風が乗客の身体に当って不快感を与えていた。また、乗客が花粉を付着して乗り込んできた場合には、乗客に風が当って花粉が飛散し、その花粉を乗客が吸引してしまう可能性があった。
【０００５】
この発明は、上述のような課題を解決するためになされたもので、その目的は、花粉の飛散量等に応じて、花粉除去装置の運転の強さを切り換えることにより、花粉を除去しながら、電気代の節約や、乗客の不快感をなくすことができるエレベータの運転装置を提供するものである。
【課題を解決するための手段】
【０００６】
この発明に係るエレベータの運転装置は、エレベータのかご及び乗場の少なくともいずれか一方に設置され、花粉などの微小物質を除去する花粉除去装置と、花粉などの関連情報により上記花粉除去装置の運転の強さを切り換える制御手段とを備えたものである。  
【０００７】
また、エレベータのかご出入口及び乗場出入口の少なくともいずれか一方に設置され、かご出入口又は乗場出入口にエアーカーテンを形成するエアーカーテン装置と、花粉などの関連情報により上記エアーカーテン装置の運転の強さを切り換える制御手段とを備えたものである。
【０００８】
また、複数のかごを共通の乗場呼びに応答させるようにしたエレベータの群管理装置において、複数のかごのうち特定のかごに設置され、花粉などの微小物質を除去する花粉除去装置と、乗場に設けられた花粉対策乗場専用釦と、この花粉対策乗場専用釦の操作により上記花粉除去装置を設置した特定のかごの中から応答かごを選択する制御手段とを備えたものである。
【０００９】
また、複数のかごのうち特定のかごの出入口に設置され、かご出入口にエアーカーテンを形成するエアーカーテン装置と、乗場に設けられた花粉対策乗場専用釦と、この花粉対策乗場専用釦の操作により上記エアーカーテン装置を設置した特定のかごの中から応答かごを選択する制御手段とを備えたものである。
【発明の効果】
【００１０】
この発明は、エレベータのかご及び乗場の少なくともいずれか一方に設置され、花粉などの微小物質を除去する花粉除去装置と、花粉などの関連情報により上記花粉除去装置の運転の強さを切り換える制御手段とを備えたので、花粉量に応じて、花粉除去装置の運転の強さを切り換えることができ、花粉を除去しながら、電気代を節約でき、乗客の不快感をなくすことができる。
【００１１】
また、複数のかごを共通の乗場呼びに応答させるようにしたエレベータの群管理装置において、複数のかごのうち特定のかごに設置され、花粉などの微小物質を除去する花粉除去装置と、乗場に設けられた花粉対策乗場専用釦と、この花粉対策乗場専用釦の操作により上記花粉除去装置を設置した特定のかごの中から応答かごを選択する制御手段とを備えたので、花粉対策専用乗場呼びに対して、花粉対策設置かごを割り当てることができる。
【発明を実施するための最良の形態】
【００１２】
実施の形態１．
図１及び図２はこの発明の実施の形態１におけるエレベータの運転装置のシステム構成を示すブロック図、図３はこの発明の実施の形態１におけるエレベータの運転装置の動作を説明するためのフローチャートである。  
図１及び図２において、エレベータのかご内にはかご行先釦１が設置され、このかご行先釦１が操作された時、かご呼登録手段２によりかご呼びが登録される。また乗場には乗場釦３が設置され、この乗場釦３が操作された時、乗場呼登録手段４により乗場呼びが登録される。また乗場には花粉対策乗場専用釦５が設けられ、この花粉対策乗場専用釦５が操作されると、複数のかごの中から花粉対策付き（空気清浄器及びエアーカーテン付きの）のかごを割り当てる。花粉量信号６は、花粉の飛散量、天候などの情報により、ビルの管理者などから入力される花粉対策強・花粉対策弱・花粉対策無などの信号であり、気象庁などから発表される花粉の飛散量、天候などの花粉情報と居住するビル周辺の気温、湿度、風力、風向きなどからビルの管理人が花粉の飛散量を予測する。例えば、花粉の飛散量が多いと予報している時、晴天の気温の高い時、風の強い時、湿度が低い時などの何れかに該当する場合には、花粉の飛散量が多いと予想し、花粉対策強の信号を入力する。また、花粉の飛散量が少ないと予想している時、晴天の気温の低い時、風の弱い時、湿度が高い時などの何れかに該当する場合には、花粉の飛散量が少ないと予想し、花粉対策弱の信号を入力する。また、雨・雪の時などには、花粉の飛散量はほとんど無いと予想し、花粉対策無の信号を入力する。制御手段７は、かご行先釦１、乗場釦３、花粉対策乗場専用釦５、花粉量信号６により、かごの走行、停止、戸の開閉、かご内空気清浄器８、かご内エアーカーテン９、乗場空気清浄器１０、乗場エアーカーテン１１を制御する。花粉除去装置であるかご内空気清浄器８はかご内床付近に設けられ、かご内の花粉などの微小物質を吸い取り除去する。かご内エアーカーテン９はかご出入口上部付近に設けられ、上部から乗客に風を吹き付ける。花粉除去装置である乗場空気清浄器１０は乗場床付近に設けられ、乗場の花粉などの微小物質を吸い取り除去する。乗場エアーカーテン１１は乗場出入口付近上部に設けられ、上部から乗客に風を吹き付ける。駆動制御装置１２は、かごを走行させるために巻上機モータを制御したり、戸を開閉させるためにドアモータを制御する。  
また、上記制御手段７は、図１に示すように、主としてマイクロコンピュータ１３で構成されており、マイクロコンピュータ１３は入力回路１３ａ、ＣＰＵ１３ｂ、メモリ１３ｃ、出力回路１３ｄより構成されている。  
なお、かご内空気清浄器８は、かご内上部に設置してもよいが、花粉などの微小物質は下部に溜まる傾向にあるので、下部に設置する方が効果的である。また、かご内エアーカーテン９及び乗場エアーカーテン１１は、上部だけでなく左右の出入口にも設置すると、より効果的である。
【００１３】
次に、図３によりこの発明の実施の形態１におけるエレベータの運転装置の動作について説明する。
ステップＳ１でかご行先釦１又は乗場釦３が操作され、かご呼び又は乗場呼びが登録されると、ステップＳ２に進み、かごはその階に走行を開始しサービスを行う。次に、ステップＳ３に進み、花粉対策信号が強であれば、ステップＳ４に進み、かご内空気清浄器８及び乗場空気清浄器１０を強で運転する。次に、ステップＳ５に進み、呼びに応答し戸開きすると、ステップＳ６に進み、乗場呼び停止かどうか判断する。この時、乗場呼び停止であれば、乗場からの乗客が花粉を付着させて乗り込む可能性があるので、ステップＳ７でかご内エアーカーテン９及び乗場エアーカーテン１１を強で運転し、乗客に付着している花粉を強い風で吹き飛ばす。次に、ステップＳ８に進み、戸閉すれば、ステップＳ９に進み、かご内エアーカーテン９及び乗場エアーカーテン１１の強運転を停止する。
上記ステップＳ６において、乗場呼びでなくかご呼び停止であれば、エアーを吹き付ける必要が無いので、エアーカーテン９、１１を強運転しない。
また、上記ステップＳ３において、花粉対策信号が弱であれば、ステップＳ３からステップＳ１０に進み、ステップＳ１１でかご内空気清浄器８及び乗場空気清浄器１０を弱で運転する。次に、ステップＳ１２に進み、呼びに応答し戸開きすると、ステップＳ１３に進み、乗場呼び停止かどうか判断する。この時、乗場呼び停止であれば、乗場からの乗客が花粉を付着させて乗り込む可能性があるので、ステップＳ１４でかご内エアーカーテン９及び乗場エアーカーテン１１を弱で運転し、乗客に付着している花粉を弱い風で吹き飛ばす。次に、ステップＳ１５に進み、戸閉すれば、ステップＳ１６に進み、かご内エアーカーテン９及び乗場エアーカーテン１１の弱運転を停止する。
上記ステップＳ１３において、乗場呼びでなくかご呼び停止であれば、エアーを吹き付ける必要が無いので、エアーカーテン９、１１を弱運転しない。
また、ステップＳ１０において、花粉対策信号が無しであれば、ステップＳ１０からステップＳ１８に進み、かご内空気清浄器８及び乗場空気清浄器１０を運転しないとともに、かご内エアーカーテン９及び乗場エアーカーテン１１を運転しない。
また、かご呼び、乗場呼びにサービスを完了し、呼びがなくなると、ステップＳ１からＳ１７に進み、かご呼び、乗場呼びにサービスをを完了してから、所定時間（例えば、３分間）経過すると、ステップＳ１８に進み、かご内空気清浄器８及び乗場空気清浄器１０を停止するとともに、かご内エアーカーテン９及び乗場エアーカーテン１１を停止する。
【００１４】
実施の形態２．
この実施の形態２におけるエレベータの運転装置のシステム構成は、実施の形態１における図１及び図２と同様であるので説明を省略する。
図４はこの発明の実施の形態２におけるエレベータの運転装置の動作を説明するためのフローチャートである。  
次に、図４によりこの発明の実施の形態２におけるエレベータの運転装置の動作について説明する。
ステップＳ２１で花粉対策専用乗場釦５が操作されると、ステップＳ２１からステップＳ２２に進み、花粉対策設置かご（空気清浄器及びエアーカーテン付き）の中からかごを割り当ててサービスさせる。次に、ステップＳ２３に進み、かご内空気清浄器８及び乗場空気清浄器１０を運転する。呼びに応答し、戸開きすると、ステップＳ２４からステップＳ２５に進む。ステップＳ２５で花粉対策専用乗場呼びで停止したのであれば、ステップＳ２６に進み、かご内エアーカーテン９及び乗場エアーカーテン１１を運転する。戸閉すると、ステップＳ２７からステップＳ２８に進み、かご内エアーカーテン９及び乗場エアーカーテン１１の運転を停止する。次に、ステップＳ２９に進み、かご呼びがあればステップＳ２３に戻り、再び繰り返す。かご呼びが無くなると、終了する。
また、上記ステップＳ２１において、花粉対策専用乗場釦５が操作されていないと、ステップＳ３０に進む。このステップＳ３０で一般乗場釦３が操作されれば、ステップＳ３１に進み、全てのかごの中からかごを割り当てる。この時、空気清浄器及びエアーカーテンの運転はしない。
【図面の簡単な説明】
【００１５】
【図１】この発明の実施の形態１におけるエレベータの運転装置のシステム構成を示すブロック図である。
【図２】この発明の実施の形態１におけるエレベータの運転装置のシステム構成を示すブロック図である。
【図３】この発明の実施の形態１におけるエレベータの運転装置の動作を説明するためのフローチャートである。
【図４】この発明の実施の形態２におけるエレベータの運転装置の動作を説明するためのフローチャートである。
【符号の説明】
【００１６】
１  かご行先釦
２  かご呼登録手段
３  乗場釦
４  乗場呼登録手段
５  花粉対策乗場専用釦
６  花粉量信号
７  制御手段
８  かご内空気清浄器（花粉除去装置）
９  かご内エアーカーテン
１０  乗場空気清浄器（花粉除去装置）
１１  乗場エアーカーテン
１２  駆動制御装置
１３  マイクロコンピュータ
１３ａ  入力回路
１３ｂ  ＣＰＵ
１３ｃ  メモリ
１３ｄ  出力回路
【図１】
2005075579.tif 000003
【図２】
2005075579.tif 000004
【図３】
2005075579.tif 000005
【図４】
2005075579.tif 000006